(57)【要約】【課題】基板収容室に収容した電子回路基板から発生する高周波ノイズを隣接した基板収容室に漏洩させにくく、該隣接した基板収容室内の電子回路基板に悪影響を与えない信号線接続構造を提供する。【解決手段】複数の電子回路基板間の信号線接続構造は、底板、天板、４枚の側板により函形状に組み立てるケース外枠内部に、仕切板６ａで仕切ることによって複数の基板収容室を形成し、これら基板収容室に電子回路基板を取り付け、仕切板６ａに設けた連通孔となる螺孔８ａと、この螺孔８ａに螺合する雄螺旋２２ｂを外周に有し端部にナット２２ａを設けたパイプ状の固定部材２２に、各電子回路基板間を接続するための信号線２３が挿通可能な絶縁材で構成した挿通管２４を嵌入固定してなる導通端子２１とからなる。【選択図】　　　　図５
0003097056.tif 000002
【実用新案登録請求の範囲】
【請求項１】
函形状に形成したケース外枠内部に、仕切板で仕切ることによって複数の基板収容室を形成し、これら基板収容室に電子回路基板を取り付けるようになしたシールドケース内に前記仕切板を挟んで配置した各電子回路基板間の信号線接続構造であって、仕切板に設ける連通孔と、各電子回路基板間を接続するための信号線を、絶縁状態で挿通可能で、前記連通孔を貫通した状態で前記仕切板に固定するようになした導通端子とからなるシールドケース内に仕切板を挟んで配置した各電子回路基板間の信号線接続構造。
【請求項２】
底板、天板、４枚の側板により函形状に組み立てるケース外枠内部に、仕切板で仕切ることによって複数の基板収容室を形成し、これら基板収容室に電子回路基板を取り付けるようになしたシールドケース内に前記仕切板を挟んで配置した各電子回路基板間の信号線接続構造であって、仕切板に設けた連通孔となる螺孔と、この螺孔に螺合する雄螺旋を外周に有し端部にナットを設けたパイプ状の固定部材に、各電子回路基板間を接続するための信号線が挿通可能な絶縁材で構成した挿通管を嵌入固定してなる導通端子とからなるシールドケース内に仕切板を挟んで配置した各電子回路基板間の信号線接続構造。
【考案の詳細な説明】
【０００１】
【考案の属する技術分野】
本考案は、外部に対して高周波ノイズをシールドしうる底板、天板、４側板により函形状に形成したケース外枠内部に、仕切板で仕切ることによって複数の基板収容室を形成し、これら基板収容室に電子回路基板を取り付けるようになしたシールドケース内に前記仕切り壁を挟んで配置した各電子回路基板間の信号線接続構造に係り、特に、仕切板で隔てた各電子回路基板間を、前記仕切板の高周波シールド機能を低下させることなく電気的に接続するための信号線接続構造に関するものである。
【０００２】
【従来の技術】
従来、仕切板で隔てた電子回路基板間を信号線で電気的に接続するには、仕切板に形成した切り欠き部分に信号線を配線するようにしたものがある（特許文献１）。
【０００３】
【特許文献１】
特開２００２−０６３９９５号公報（図２、図５、図８、図１４、図２８、図３０参照。）。
【０００４】
【考案が解決しようとする課題】
上記従来の特許文献１のように、仕切板に比較的大きな切り欠きを設けると、電子回路基板から発生した高周波ノイズが他方の基板収容室に漏洩し、その回路の動作に悪影響を多合えるという問題があった。本考案は、このような問題を解消することを課題とし、該課題を解決したシールドケース内に仕切り壁を挟んで配置した各電子回路基板間の信号線接続構造を提供することを目的とする。
【０００５】
【課題を解決するための手段】
上記目的を達成するために、請求項１に記載の本考案は、函形状に形成したケース外枠内部に、仕切板で仕切ることによって複数の基板収容室を形成し、これら基板収容室に電子回路基板を取り付けるようになしたシールドケース内に前記仕切板を挟んで配置した各電子回路基板間の信号線接続構造であって、仕切板に設ける連通孔と、各電子回路基板間を接続するための信号線を、絶縁状態で挿通可能で、前記連通孔を貫通した状態で前記仕切板に固定するようになした導通端子とからなるものである。
【０００６】
また、請求項２に記載の本考案は、底板、天板、４枚の側板により函形状に組み立てるケース外枠内部に、仕切板で仕切ることによって複数の基板収容室を形成し、これら基板収容室に電子回路基板を取り付けるようになしたシールドケース内に前記仕切板を挟んで配置した各電子回路基板間の信号線接続構造であって、仕切板に設けた連通孔となる螺孔と、この螺孔に螺合する雄螺旋を外周に有するパイプ状の固定部材に、各電子回路基板間を接続するための信号線が挿通可能な絶縁材で構成した挿通管を嵌入固定してなる導通端子とからなるものである。
【０００７】
【考案の実施の形態】
次に、本考案の好適な実施形態を添付図面に基づいて詳細に説明する。ここにおいて、添付図面の図１は天板を外した状態の斜視図、図２は図１のＡ−Ａ線断面図、図３は天板の内面側を示す斜視図、図４は導通端子の斜視図、図５は信号線接続構造の縦断面図、図６は天板を外した状態の部分拡大斜視図、図７は組み立て途中の状態を示す部分拡大図である。
【０００８】
図１〜図３に示すように、シールドケース１は、底部及び天部を閉塞する底板２、天板３と、四方を囲む各一対の短尺側板４、長尺側板５により函形状に構成するケース外枠内部に、仕切板６ａ，６ｂで仕切ることによって三つの基板収容室７ａ，７ｂ，７ｃを形成し、これら基板収容室７ａ，７ｂ，７ｃに電子回路基板（図示せず）を取り付けるようになしたものである。前記一方の仕切板６ａには、三つの連通孔たる小径螺孔８ａ（図１には２つのみ図示）を設け、他方の仕切板６ｂには、中央の連通孔たる大径螺孔８ｂと、この大径螺孔８ｂを挟んだ両側に小径螺孔８ａを設けてある。
【０００９】
図６及び図７に示すように、各短尺側板４は、それらの両端縁と上下縁に溝条９を設け、また、各長尺側板５は、両端縁と上下縁にそれぞれ溝条９を設けた二枚の部品板５ａ，５ｂ端部を繋げてなる。
【００１０】
図１、図６及び図７に示すように、長尺側板５は、その各部品板５ａ，５ｂの各端部縁の溝条９に、連結部材１０ａの三縁を突出させてなる突縁１１のうち対向する両縁部の各突縁１１を嵌合することによって連結する。また、前記各長尺側板５と前記各短尺側板４とは、それぞれの端部縁に設けた溝条９を、連結部材１０ｂの、互いに隣り合う縁部に設けた各突縁１１に嵌合する。前記各連結部材１０ａ，１０ｂ両端（図面では上下端）には固定用螺孔１２が設けてある。
【００１１】
図１及び図２に示すように、一方の仕切板６ａは、前記短尺側板５あるいは前記長尺側板の各部品板５ａ，５ｂと同様に、その両端縁と上下縁に溝条９を設け、上下縁の溝条９の各中央位置には固定用螺孔１３を設けてある。そして、この仕切板６ａ両端の溝条９に、長尺側板５の繋ぎ目に設けた前記連結部材１０ａに形成した突縁１１をそれぞれ嵌合することによって、ケース外枠に仕切板６ａを固定する。
【００１２】
また、他方の仕切板６ｂは、その両端縁に嵌合縁１４を設けるとともに、上下縁に溝条９を設け、両長尺側板５の部品板５ｂ内面に設けた取付溝１５に、前記各嵌合縁１４をそれぞれ嵌合することによって、仕切板６ｂをケース外枠に固定する。
【００１３】
図２に示すように、仕切板６ａ，６ｂによって、ケース外枠内に３つの基板収容室７ａ，７ｂ，７ｃを形成し、該基板収容室７ａ内には底板２近傍に基板取付枠１６を設けてある。この基板取付枠１６は、その周囲を、長尺側板５の両部品板５ａと短尺側板４と仕切板６ａとに各設けた取付溝１７に嵌合する。
【００１４】
ここで、底板２と前記天板３とは同一に構成するとともに、各側板４，５への固定方法も同一であるので、天板３についてのみ詳細に説明し、底板２の説明は省略し、図面（図２）に天板３の部材と同一の符号を付すことにする。
【００１５】
図３に示すように、天板３は、各四隅部分と、長手方向外周に沿った両中央部分と、この両中央部分間の中間部分とにビス挿入孔１８を設けるとともに、これらビス挿入孔１８間に位置した外周縁近傍と、各連結部材１０ａ間とに、係合用凸条１９をそれぞれ形成してある。前記各ビス挿入孔１８は、天板３を各側板４，５に被せたときに、前記各連結部材１０ａ，１０ｂの前記固定用螺孔１３ａ，１３ｂと、仕切板にそれぞれ対応位置するものである。また、前記係合用突起１９は、各溝条９に係合して天板３が確実に正規の状態で各側板４，５に被せうるようガイドし、かつ、被せた状態を安定させるためのものである。そして、この天板３を各側板４，５の天部に被覆固定するには、天板３の各係合用凸条１９を各側板４，５の各溝条９に嵌めるとともに、天板３の各ビス挿入孔１８を各側板４，５の各連結部材１０ａ，１０ｂの固定用螺孔１２と、仕切板６ａの固定用螺孔１３とに対応位置させ、各ビス挿入孔１８に固定ビス２０をそれぞれ挿入して各固定用螺孔１２，１３ａ，１３ｂに螺合させる。
【００１６】
図１、図２及び図５に示すように、仕切板６ａ，６ｂに設けた連通孔たる小径螺孔８ａは、基板収容室７ａ，７ｂ，７ｃに収容した電子回路基板（図示せず）間を接続する信号線２３を挿通しうる導通端子２１を貫通させ固定するものであり、また、連通孔たる大径螺孔８ｂは、前記導通端子２１と同様の構造を有し、導通端子２１より径が大きい導通端子（図示せず）を貫通させ固定するためのものである。
【００１７】
図４及び図５に示すように、前記導通端子２１は、端部にナット２２ａを一体形成し、外周に雄螺旋２２ｂを形成してなるパイプ状の固定部材２２と、この固定部材２２内側に嵌合し、絶縁材で構成し、信号線２３を挿通可能となした挿通管２４とから構成する。この導通端子２１は、固定部材２２の雄螺旋２２ｂを仕切板６ａ，６ｂの小径螺孔８ａに螺合することによって仕切板６ａ，６ｂに固定するものである。なお、前記ナット２２ａは前記螺合に際し固定部材２２を回転させるために、かつ、仕切板６ａ，６ｂに締め付けて強固に固定するために設けてある。
【００１８】
以上のように構成したシールドケース１の両端側の基板収容室７ａ，７ｃにそれぞれ高周波電源回路を含まない電子回路基板（図示せず）を収容し、中央の基板収容室７ｂに高周波電源回路を含む電子回路基板（図示せず）を収容し、中央の基板収容室７ｂの電子回路基板と両端側の基板収容室７ａ，７ｃの電子回路基板とをそれぞれ信号線２３で電気的に接続するには、シールドケース１の天板３を外した状態において、例えば一方の電子回路基板の信号線２３先端を、導通端子２１の挿通管２４に挿通して引き出し、小径螺孔８ａを潜らした後に、導通端子２１を、その固定部材２２の雄螺旋２２ｂを小径螺孔８ａに螺入し、スパナ（図示せず）などでナット２２ａを回転することによって、仕切板６ａ，６ｂに締め付け固定する（図５参照）。続いて、前記信号線２３の先端を他方の電子回路基板の所定の回路端子に接続する。また、基板収容室７ｂ，７ｃ間の大径螺孔８ｂを太い信号線（図示せず）で接続するが、この場合は、大径螺孔８ｂに対応するような大径の雄螺旋をもつ固定部材を備えた導通端子（図示せず）を用い、前記導通端子２１の場合と同様に、各基板収容室に収容した電子回路基板の所定の端子間を接続線（図示せず）で電気的に接続する。
【００１９】
そして、シールドケース１内に仕切り壁６ａ，６ｂを挟んで配置した各電子回路基板間の信号線接続構造は、上記導通端子２１と上記小径螺孔８ａ、あるいは大径の上記導通端子（図示せず）と大径螺孔８ｂによって構成する。
【００２０】
なお、本考案は上記実施形態になんら限定されるものではなく、例えば、上記実施形態では、一方の仕切板６ａに三つの小径螺孔８ａ（連通孔）を、また他方の仕切板６ｂに一つの大径螺孔８ｂ（連通孔）と二つの小径螺孔８ａ（連通孔）をそれぞれ設けてあるが、これら連通孔は、実施形態における個数とは異なる一つあるいは複数にしてもよい。
【００２１】
【考案の効果】
以上説明したように請求項１に記載の本考案によれば、基板収容室に収容した電子回路基板から発生する高周波ノイズを隣接した基板収容室に漏洩させにくく、該隣接した基板収容室内の電子回路基板に悪影響を与えないという作用効果を奏する。
【００２２】
また、請求項２に記載の本考案によれば、螺孔に雄螺旋を備えた固定部材を螺合して、仕切板に導通端子を固定するので、高周波ノイズが通過するような隙間がなく、基板収容室に収容した電子回路基板から発生する高周波ノイズは隣接した基板収容室に極めて漏洩しにくく、該隣接した基板収容室内の電子回路基板に悪影響を与えないうえ、シールドケースは板体を組み立てて構成するので、組み立て前に仕切板に、導通端子を固定する螺孔を形成することが可能で、螺孔の形成作業が容易である。
【図面の簡単な説明】
【図１】天板を外した状態の斜視図。
【図２】図１のＡ−Ａ線断面図。
【図３】天板の内面側を示す斜視図。
【図４】導通端子の斜視図。
【図５】信号線接続構造の縦断面図。
【図６】天板を外した状態の部分拡大斜視図。
【図７】組み立て途中の状態を示す部分拡大図
【符号の説明】
１　　シールドケース
２　　底板
３　　天板
４　　短尺側板
５　　長尺側板
５ａ　　部品板
６ａ　　仕切板
６ｂ　　仕切板
７ａ　　基板収容室
７ｂ　　基板収容室
７ｃ　　基板収容室
８ａ　　小径螺孔
８ｂ　　大径螺孔
９　　溝条
１０ａ　　連結部材
１０ｂ　　連結部材
１１　　突縁
１２　　固定用螺孔
１３ａ　　固定用螺孔
１３ｂ　　固定用螺孔
１４　　嵌合縁
１５　　取付溝
１６　　基板取付枠
１７　　取付溝
１８　　ビス挿入孔
１９　　係合用凸条
２０　　固定ビス
２１　　導通端子
２２　　固定部材
２３　　信号線
２４　　挿通管
【図１】
0003097056.tif 000003
【図２】
0003097056.tif 000004
【図３】
0003097056.tif 000005
【図４】
0003097056.tif 000006
【図５】
0003097056.tif 000007
【図６】
0003097056.tif 000008
【図７】
0003097056.tif 000009